(57)【特許請求の範囲】
【請求項１】
粒状媒体を充填した処理層の上方より下向流で被処理水を通水して前記被処理水中に含まれる被除去物を前記処理層によって除去する除去手段を支持する上壁と、前記上壁に接続する側壁と、前記側壁に接続する底壁と、を備え、
前記処理層を通過して被除去物が除去された処理水を中空の内部空間に集水する有孔ブロックにおいて、
複数の前記有孔ブロックを並置する際に各有孔ブロックの間に充填した充填材に、前記有孔ブロックが受けた上方からの荷重を伝達する側方リブを前記側壁に形成し、
前記側方リブに、前記側壁に対面して延在する対向面部を設けてある有孔ブロック。
【請求項２】
前記対向面部が前記側方リブの上面から上方に延びている請求項１に記載の有孔ブロック。
【請求項３】
前記対向面部が前記側方リブの上面に対して垂直又は鋭角で交わるように構成されている請求項１又は２に記載の有孔ブロック。
【請求項４】
前記側方リブの下端面が前記側壁に対して垂直又は鋭角で交わるように構成されている請求項１〜３のいずれか一項に記載の有孔ブロック。
【請求項５】
粒状媒体を充填した処理層の上方より下向流で被処理水を通水して前記被処理水中に含まれる被除去物を前記処理層によって除去する除去手段を支持し、前記処理層を通過して被除去物が除去された処理水を中空の内部空間に集水する有孔ブロックと、
複数の前記有孔ブロックを並置する際に、各有孔ブロックの間に充填する充填材と、を備え、
前記有孔ブロックの側壁に、前記有孔ブロックに対する上方からの荷重を前記充填材に伝達する側方リブを形成し、
前記側方リブに、前記側壁に対面して延在する対向面部を設けてある集水装置。
【請求項６】
前記充填材の中には、前記有孔ブロックの高さ方向における中間位置以下に下方補強部材を配設してある請求項５に記載の集水装置。
【請求項７】
前記充填材の中には、前記下方補強部材よりも上側に上方補強部材を配設してある請求項６に記載の集水装置。
【請求項８】
中空の内部空間に被処理水を処理した処理水を集水し、上方からの荷重を隣接する充填材に伝達する側方リブを側壁に備え、前記側方リブに、前記側壁に対面して延在する対向面部を設けてある有孔ブロックの複数を平面状に設置する有孔ブロック設置工程と、
並列に配設した各有孔ブロックの間に、前記有孔ブロックの高さ方向における中間位置以下に下方補強部材を配設する補強部材配設工程と、
並列に配設した各有孔ブロックの間に前記充填材を充填する充填工程と、を有する集水装置の施工方法。
【発明の詳細な説明】
【技術分野】
【０００１】
本発明は、上水・用水・工業用水・生活廃水・工業廃水等などの被処理水に含まれる懸濁物などの被除去物を除去し、被除去物が除去された処理水を集水する処理を行う集水装置、集水装置で使用される有孔ブロック、および、集水装置の施工方法に関する。
【背景技術】
【０００２】
水処理設備で用いられる集水装置は、例えば粒状媒体を充填して濾過層（処理層）を備えて当該懸濁物を除去する濾過手段（除去手段）を支持し、濾過層を通過して被除去物が除去された処理水を集水する有孔ブロックを備える（例えば特許文献１）。
【０００３】
有孔ブロックは、中空の断面が略矩形となる外壁（上壁・側壁・底壁）、および、当該外壁の内部において略逆Ｖ字形断面となる傾斜内壁が設けてある。この傾斜内壁により、有孔ブロックの内部空間を中央流通部および当該中央流通部の両側に位置する側方流通部に仕切っている。上壁の上方部および側方流通部、側方流通部および中央流通部はそれぞれ孔部を介して連通している。
【０００４】
濾過層には、珪砂・アンスラサイト・粒状活性炭などの粒状媒体が充填してあり、被処理水を濾過手段の上方より下向流で濾過層に通水すると、被処理水中に含まれる懸濁物等が濾過層によって除去される。濾過層を通過して懸濁物が除去された処理水は、重力の作用により有孔ブロックの上壁に設けた上壁孔部を介して側方流通部に流下し、さらに側方流通部から中央流通部に流下することにより集水される。
【０００５】
一般に集水装置では、複数の有孔ブロックを平面状（二次元的に）に設置して濾過手段を支持している。具体的には、複数の有孔ブロックの内部空間が連通するように延設して、複数の有孔ブロックを直列に接続し、有孔ブロックどうしの側壁が対向するように並置して複数の有孔ブロックを並列に配置する。このように複数の有孔ブロックを設置することで、より多量の処理水を集水することができる。
図９に示したように、有孔ブロック２０を並列に配設する際には、対向する側壁２１ｂの間にモルタル等の充填材３０を充填している。当該充填材３０が固化することで、並置した有孔ブロック２０どうしを固定する。
【０００６】
集水装置で被処理水を濾過処理するに従い、経時的に濾過層が懸濁物によって目詰まりしてくる。当該目詰まりが発生すれば濾過層の濾過性能は低下する。そのため、定期的に逆洗処理を行って濾過層に詰まった懸濁物を除去している。当該逆洗処理を行うことで、濾過層の濾過性能を復活させることができる。
逆洗処理は、逆洗用媒体である液体（水）あるいは空気を濾過手段の下方から上方に向けて供給する。具体的には、図９，１０に示したように、逆洗用媒体は、有孔ブロック２０及び充填材３０の下方に設けたフリューム（水路）７０等から底壁開口部ｃ１を経て有孔ブロック２０の内部空間（中央流通部Ａ・側方流通部Ｂ）を通過し、上壁孔部ａ１を経由して濾過手段１０に供給される。
【０００７】
このとき、有孔ブロック２０は、逆洗用媒体によって上向荷重を受ける。すると、例えば有孔ブロック２０が上方向に相対移動しようとする応力が作用して有孔ブロック２０及び充填材３０が垂直方向に互いに位置ズレする虞がある。この不都合を避けるため、有孔ブロックの側壁には上方に傾斜した受面２６ａを備えたリブ２６を形成し、当該受面２６ａから充填材３０に前記上向荷重を伝達できる構造としていた。この構造により、有孔ブロック２０に上向荷重が作用した場合であっても、前記リブ２６によって充填材３０に対する有孔ブロック２０の相対位置を固定することができるため、有孔ブロック２０及び充填材３０が垂直方向に互いに位置ズレするのを防止できる。
【０００８】
さらに、充填材３０が逆洗用媒体によって上向荷重を受ければ、充填材３０における上側領域には引張応力が作用して固化した充填材が破壊される虞がある。通常、この不都合を避けるため、充填材３０には、特にその上側領域の強度を増すべく、当該上側領域に鉄筋等の補強部材４０を水平に配設していた。これにより、上向荷重を受けたときに発生する引張応力に対する耐性を高めて、固化した充填材の上側領域が破壊されるのを未然に防止できる。
【先行技術文献】
【特許文献】
【０００９】
【特許文献１】特開２００４−３４６５７４号公報
【発明の概要】
【発明が解決しようとする課題】
【００１０】
上述したように、有孔ブロックおよび充填材が逆洗用媒体による上向荷重を受けた際に生じる不都合は、上方に傾斜した受面を備えたリブ、および、固化した充填材の上側領域に配設した補強部材を設けることで解消することができる。
【００１１】
一方、有孔ブロック及び充填材の上方には濾過手段が載置してあるため、有孔ブロック及び充填材は濾過手段の重量による下向荷重を常に受けている。上方に傾斜した受面を備えたリブでは、下向荷重を充填材に伝達することができないため、特にフリュームの幅が大きい場合には、当該下向荷重によって、例えば有孔ブロックが下方向に相対移動しようとする応力が大きく作用して有孔ブロック及び充填材が垂直方向に互いに位置ズレする虞がある。さらに、充填材が前記下向荷重を受ければ、充填材における下側領域には引張応力が作用して固化した充填材が破壊される虞がある。
【００１２】
このような不都合を避けるため、有孔ブロック及び充填材の荷重をそれらの底面で受ける受け棚９０（図１０）をフリュームの端部に配設してフリュームの幅を小さくし、有孔ブロック及び充填材が前記下向荷重を受けたときに発生する応力を減少させていた。
【００１３】
しかし、上述のように受け棚を配設すると製造コスト・工程が増加する。
【００１４】
従って、本発明の目的は、有孔ブロック及び充填材が下向きの荷重を受けたときでも、有孔ブロック及び充填材の位置ズレ、および、固化した充填材の破壊を防止できる集水装置、集水装置で使用される有孔ブロック、および、集水装置の施工方法を提供することにある。
【課題を解決するための手段】
【００１５】
本発明の有孔ブロックは、粒状媒体を充填した処理層の上方より下向流で被処理水を通水して前記被処理水中に含まれる被除去物を前記処理層によって除去する除去手段を支持する上壁と、前記上壁に接続する側壁と、前記側壁に接続する底壁と、を備え、前記処理層を通過して被除去物が除去された処理水を中空の内部空間に集水する有孔ブロックにおいて、複数の前記有孔ブロックを並置する際に各有孔ブロックの間に充填した充填材に、前記有孔ブロックが受けた上方からの荷重を伝達する側方リブを前記側壁に形成し、前記側方リブに、前記側壁に対面して延在する対向面部を設けてある。
【００１６】
有孔ブロックは、逆洗用媒体によって上向荷重を受け、除去手段の重量による下向荷重を常に受ける。当該上向荷重を受けると、有孔ブロックが上方向に相対移動しようとする応力が作用し、当該下向荷重を受けると、有孔ブロックが下方向に相対移動しようとする応力が作用する。
本構成によれば、有孔ブロックに下向荷重が作用した場合であっても、側方リブによってこれら荷重を固化した充填材に伝達するため、当該充填材に対する有孔ブロックの相対位置を固定することができる。そのため、有孔ブロック及び充填材が垂直方向に互いに位置ズレするのを防止できる。
また、本構成によれば、側方リブによって有孔ブロックが受けた上向荷重および下向荷重を充填材に確実に伝達して、有孔ブロック及び充填材が垂直方向に互いに位置ズレするのを確実に防止することができると共に、対向面部によって有孔ブロック及び充填材が互いに離間する方向に位置ズレするのを確実に防止することができる。
【００１７】
上記構成において、前記対向面部が前記側方リブの上面から上方に延びていると好適である。
また、上記構成において、前記対向面部が前記側方リブの上面に対して垂直又は鋭角で交わるように構成されていると好適である。
【００１８】
また、上記構成において、前記側方リブの下端面が前記側壁に対して垂直又は鋭角で交わるように構成されていると好適である。
たとえば、本構成によれば、側方リブの下端面が前記側壁に対して鈍角に交わるように構成した場合、有孔ブロックが受ける下向荷重により、側方リブから充填材が剥離する方向の分力が生じる。一方、本構成のように、側方リブの下端面を側壁に対して垂直に交わるように構成することにより、上述の分力の発生を防止することができる。さらに、側方リブの下端面を側壁に対して鋭角に交わるように構成することにより、側方リブに充填材が食い込む側に分力を発生させることができる。この結果、側方リブの下端面を側壁に対して垂直又は鋭角で交わるように構成することにより下向き荷重を確実に充填材に伝えることができる。
【００１９】
本発明の集水装置は、粒状媒体を充填した処理層の上方より下向流で被処理水を通水して前記被処理水中に含まれる被除去物を前記処理層によって除去する除去手段を支持し、前記処理層を通過して被除去物が除去された処理水を中空の内部空間に集水する有孔ブロックと、複数の前記有孔ブロックを並置する際に、各有孔ブロックの間に充填する充填材と、を備え、前記有孔ブロックの側壁に、前記有孔ブロックに対する上方からの荷重を前記充填材に伝達する側方リブを形成し、前記側方リブに、前記側壁に対面して延在する対向面部を設けてある。
【００２０】
有孔ブロックは、逆洗用媒体によって上向荷重を受け、除去手段の重量による下向荷重を常に受ける。当該上向荷重を受けると、有孔ブロックが上方向に相対移動しようとする応力が作用し、当該下向荷重を受けると、有孔ブロックが下方向に相対移動しようとする応力が作用する。
本構成によれば、有孔ブロックに下向荷重が作用した場合であっても、側方リブによってこれら荷重を固化した充填材に伝達するため、当該充填材に対する有孔ブロックの相対位置を固定することができる。そのため、有孔ブロック及び充填材が垂直方向に互いに位置ズレするのを防止できる。
また、本構成によれば、側方リブによって有孔ブロックが受けた上向荷重および下向荷重を充填材に確実に伝達して、有孔ブロック及び充填材が垂直方向に互いに位置ズレするのを確実に防止することができると共に、対向面部によって有孔ブロック及び充填材が互いに離間する方向に位置ズレするのを確実に防止することができる。
【００２１】
上記構成において、前記充填材の中には、前記有孔ブロックの高さ方向における中間位置以下に下方補強部材を配設してあると好適である。
本構成によれば、固化した充填材の下側領域には下方補強部材が存在するため、下側領域には引張応力が発生し難くなる。そのため、固化した充填材における下側領域が破壊されるのを未然に防止できる。
【００２２】
また、上記構成において、前記充填材の中には、前記下方補強部材よりも上側に上方補強部材を配設してあると好適である。
本構成によれば、側方リブの上端面と上方補強部材とで固化した充填材を挟持することができる。同様に、側方リブの下端面と下方補強部材とで固化した充填材を挟持することができる。これにより、有孔ブロック、充填材、上方補強部材および下方補強部材の結合の程度をより強固にすることができる。よって、有孔ブロック及び充填材が互いに位置ズレするのを確実に防止できる。
【００２３】
【００２４】
本発明に係る集水装置の施工方法は、中空の内部空間に被処理水を処理した処理水を集水し、上方からの荷重を隣接する充填材に伝達する側方リブを側壁に備え、前記側方リブに、前記側壁に対面して延在する対向面部を設けてある有孔ブロックの複数を平面状に設置する有孔ブロック設置工程と、並列に配設した各有孔ブロックの間に、前記有孔ブロックの高さ方向における中間位置以下に下方補強部材を配設する補強部材配設工程と、並列に配設した各有孔ブロックの間に前記充填材を充填する充填工程と、を有する。
【００２５】
本構成によれば、複数の有孔ブロックを下方に配設して、各有孔ブロックの間を充填材で充填し、その上方に除去手段を積層した集水装置を形成することができる。特に、本施工方法では、有孔ブロックの側壁に上方からの荷重を充填材に伝達する側方リブを備えるため、側方リブによって固化した充填材に対する有孔ブロックの相対位置を固定することができ、有孔ブロック及び充填材が垂直方向に互いに位置ズレするのを防止できる集水装置を形成することができる。
さらに、本構成では、有孔ブロックの高さ方向における中間位置より下方に下方補強部材を配設した状態で充填材を充填するため、有孔ブロックに上向荷重あるいは下向荷重が作用した場合であっても、固化した充填材の下側領域に引張応力が発生し難くなり、固化した充填材における下側領域が破壊されるのを未然に防止できる集水装置を形成することができる。
また、本構成によれば、側方リブによって有孔ブロックが受けた上向荷重および下向荷重を充填材に確実に伝達して、有孔ブロック及び充填材が垂直方向に互いに位置ズレするのを確実に防止することができると共に、対向面部によって有孔ブロック及び充填材が互いに離間する方向に位置ズレするのを確実に防止することができる。
【図面の簡単な説明】
【００２６】
【図１】本発明の集水装置の概略を一部切欠で示す斜視図である。
【図２】本発明の有孔ブロックの斜視図である。
【図３】有孔ブロック、充填材、補強部材の配置を示した断面図である。
【図４】有孔ブロック、補強部材の配置を示した側面図である。
【図５】側方リブの要部断面図である。
【図６】別実施形態の側方リブの要部断面図である。
【図７】別実施形態の補強部材の配置を示した側面図である。
【図８】本発明の集水装置の施工方法の各工程の流れ図である。
【図９】従来の集水装置における有孔ブロック、充填材、補強部材の配置を示した断面図である。
【図１０】従来の有孔ブロック、補強部材の配置を示した側面図である。
【発明を実施するための形態】
【００２７】
以下、本発明の実施例を図面に基づいて説明する。
本発明の集水装置Ｘは、図１に示すように、上水・用水・工業用水・生活廃水・工業廃水等などの被処理水に含まれる懸濁物（被除去物）を除去する水処理設備Ｙにおいて、懸濁物が除去された処理水を集水するために用いられる。
【００２８】
図１〜５に示したように、当該集水装置Ｘは、粒状媒体１２を充填した処理層１１の上方より下向流で被処理水を通水して被処理水中に含まれる被除去物を処理層１１によって除去する除去手段１０を支持し、処理層１１を通過して被除去物が除去された処理水を中空の内部空間に集水する有孔ブロック２０と、複数の有孔ブロック２０を並置する際に、各有孔ブロック２０の間に充填する充填材３０と、を備え、充填材３０の中には、有孔ブロック２０の高さ方向における中間位置より上方に上方補強部材４１、および、当該中間位置より下方に下方補強部材４２を配設してある。
【００２９】
（除去手段）
本実施形態の除去手段１０は、濾過処理によって被処理水中に含まれる被除去物を除去する場合について説明する。従って、処理層１１は濾過層となる。しかし、このような態様に限られるものではなく、生物処理によって被処理水中に含まれる被除去物を除去することも可能である。この場合、処理層１１は生物処理層となり、例えば粒状媒体１２の表面に被除去物を生物的に分解する微生物を担持させておく。
【００３０】
処理層１１には、珪砂・アンスラサイト・粒状活性炭などの粒状媒体１２が充填してある。本実施形態では二層の処理層１１を設けてあり、最下層から順に珪砂層１１ａ・アンスラサイト層１１ｂを配設したものを例示するが、これに限られるものではない。
被処理水を除去手段１０の上方に設けた排水トラフ５０より処理層１１に給水して処理層１１を通過させることで、被処理水中に含まれる被除去物が処理層１１によって除去される。なお、排水トラフ５０経由ではなく直接被処理水が供給される場合も有る。
【００３１】
（有孔ブロック）
有孔ブロック２０は除去手段１０の下方に配置して除去手段１０を支持する。本実施形態では、除去手段１０と有孔ブロック２０との間には、多孔プレート６０を配設してある。
有孔ブロック２０は、中空で断面が略矩形となる外壁２１（上壁２１ａ・側壁２１ｂ・底壁２１ｃ）、および、当該外壁２１の内側に接続して有孔ブロック２０の内部空間を複数の空間に分割する傾斜内壁２２が設けてある。
有孔ブロック２０は、耐食性・耐圧性に優れた材質であれば、何れの材料で形成してもよいが、例えば、高密度ポリエチレンの発泡成形で成形すれば軽量化することができるため、運搬や施工面で作業性がよい。
【００３２】
上壁２１ａは、除去手段１０の下面に直接接触して、或いは、多孔プレート６０を介して間接的に除去手段１０を支持する。側壁２１ｂは上壁２１ａに接続する一対の対向する壁であり、底壁２１ｃは当該一対の側壁２１ｂに接続する。また、傾斜内壁２２は、その断面が略逆Ｖ字形となるように形成してある。これにより、有孔ブロック２０の内部空間を、中央流通部Ａと当該中央流通部Ａの両側に位置する側方流通部Ｂとに仕切っている。このように、有孔ブロック２０の内部空間は、傾斜内壁２２によって三つの空間に分割されるが、この態様に限られるものではない。
【００３３】
上壁２１ａの上方部および側方流通部Ｂは、上壁２１ａに形成した複数の上壁孔部ａ１を介して連通している。また、側方流通部Ｂおよび中央流通部Ａは、傾斜内壁２２に形成した第一内壁孔部ｂ１、第二内壁孔部ｂ２および第三内壁孔部ｂ３を介して連通している。処理層１１を通過して被除去物が除去された処理水は、重力の作用により、多孔プレート６０を通過した後に上壁孔部ａ１を介して側方流通部Ｂに流下し、さらに第一内壁孔部ｂ１、第二内壁孔部ｂ２および第三内壁孔部ｂ３を介して中流通部Ａに流下して集水される。処理水は、有孔ブロック２０の底壁２１ｃに形成した底壁開口部（図外）を経て有孔ブロック２０の下方に設けたフリューム７０を流下して、或いは、中央流通部Ａに接続する配管（図外）を流下して、所定の貯水槽に搬送される。
【００３４】
上壁２１ａの上面には、側壁２１ｂから延設する上壁第一リブ部２３ａ、上壁第一リブ部２３ａに平行な上壁第二リブ部２３ｂ、および、上壁第一リブ部２３ａと垂直に交差する上壁第三リブ部２３ｃが設けてある。本実施形態では、二本の上壁第一リブ部２３ａ、一本の上壁第二リブ部２３ｂ、十本の上壁第三リブ部２３ｃをそれぞれ形成した場合を示すが、これに限られるものではない。
これらリブ部２３ａ〜２３ｃによって、上壁２１ａの上面を複数の区画に分割してある。これらリブ部２３ａ〜２３ｃを設けることで上壁２１ａの耐圧性を強化することができ、除去手段１０の荷重による上壁２１ａの撓みを防止できる。
多孔プレート６０は、前記リブ部２３ａ〜２３ｃの上面に載置する。多孔プレート６０は、ボルトによって前記リブ部２３ａ〜２３ｃ或いは上壁２１ａに固定する。多孔プレート６０は、例えば、直径数ｍｍのペレットを多数接合して構成するとよい。当該ペレットとしては、ポリオレフィン等のプラスチックの他、セラミック、焼結金属等が使用可能である。
【００３５】
側壁２１ｂには、複数の有孔ブロック２０を並置する際に、各有孔ブロック２０の間に充填した充填材３０に、有孔ブロック２０が受けた上方及び下方からの荷重を伝達する側方リブ２４を形成してある。側方リブ２４は、水平方向に伸延する水平側方リブ２４Ａ、および、垂直方向に伸延する垂直側方リブ２４Ｂとすることができる。何れのリブ形状であっても、その上端面２４ａによって有孔ブロック２０が受けた上向荷重を充填材３０に伝達し、その下端面２４ｂによって有孔ブロック２０が受けた下向荷重を充填材３０に伝達する。上端面２４ａおよび下端面２４ｂは、略水平な面となるように構成すれば、有孔ブロック２０が受けた上向荷重および下向荷重を充填材３０に確実に伝達することができる。さらに、上端面２４ａ或いは下端面２４ｂが、側壁２１ｂに対して鋭角的に交わるように構成すれば（図５）、有孔ブロック２０が受けた上向荷重および下向荷重を充填材３０に確実に伝達して、有孔ブロック２０及び充填材３０が垂直方向に互いに位置ズレするのを確実に防止することができる。
【００３６】
有孔ブロック２０は、逆洗用媒体によって上向荷重を受け、濾過手段の重量による下向荷重を常に受ける。当該上向荷重を受けると、有孔ブロック２０が上方向に相対移動しようとする応力が作用し、当該下向荷重を受けると、有孔ブロック２０が下方向に相対移動しようとする応力が作用する。本構成では、有孔ブロック２０が受けた上方及び下方からの荷重を充填材３０に伝達する側方リブ２４を形成することから、有孔ブロック２０に上向荷重あるいは下向荷重が作用した場合であっても、側方リブ２４によってこれら荷重を固化した充填材３０に伝達するため、充填材３０に対する有孔ブロック２０の相対位置を固定することができる。そのため、有孔ブロック２０及び充填材３０が垂直方向に互いに位置ズレするのを防止できる。
側方リブ２４は、水平側方リブ２４Ａおよび垂直側方リブ２４Ｂの少なくとも何れか一方を形成するとよい。
【００３７】
（充填材）
充填材３０は、複数の有孔ブロック２０を並置する際に、各有孔ブロック２０の間に充填する。
充填材３０は、モルタル・コンクリート等、間隙等に流動状態で投入した後、経時的に固化する態様のものであれば、公知の充填材を使用することができる。固化した充填材３０は、並置した有孔ブロック２０の間隙を埋めると共に、各有孔ブロック２０どうしを強固に接着して固定することで、有孔ブロック２０の上方に載置した除去手段１０を安定して支持することができる。
有孔ブロック２０および充填材３０の下方にフリューム７０が形成してある場合、充填材３０がフリューム７０に落下するのを防止するため、有孔ブロック２０どうしの間には、それぞれの側壁２１ｂの下方にフリューム７０を受けるブリッジング（図外）を配設する。
【００３８】
（補強部材）
本発明の集水装置Ｘは、充填材３０の中には、有孔ブロック２０の高さ方向における中間位置より上方に上方補強部材４１、および、中間位置より下方に下方補強部材４２を配設してある。
【００３９】
本構成であれば、有孔ブロック２０に上向荷重あるいは下向荷重が作用した場合であっても、固化した充填材３０の上側領域には上方補強部材が存在し、下側領域には下方補強部材が存在するため、上側領域および下側領域には引張応力が発生し難くなる。そのため、固化した充填材３０における上側領域あるいは下側領域が破壊されるのを未然に防止できる。
補強部材４０である上方補強部材４１および下方補強部材４２は、例えば鉄筋・木材等を使用することができるが、これらに限られるものではない。固化した充填材３０がその長さに亘って破壊しないようにするため、例えば水平に長尺状に配置できる態様のものであれば使用できる。
【００４０】
上方補強部材４１および下方補強部材４２は別部材としてもよく、或いは、一体化して構成することも可能である。これらを一体化して構成する場合は、例えば上方補強部材４１から下方補強部材４２が分岐する態様とすることができる（図４）。下方補強部材４２が分岐する位置は、例えばフリューム７０の幅を基準に決定することができる。
本実施形態では、下方補強部材４２が分岐する位置４３は、平面視でフリューム７０の端部付近としてあり、下方補強部材４２を設ける位置を、フリューム７０が形成してある位置に対応させてある。フリューム７０が存在する位置では充填材３０を下方で受ける部材が存在しないため、当該位置では充填材３０における下側領域に引張応力が作用した場合に固化した充填材３０が破壊される虞がある。下方補強部材４２を設ける位置を、フリューム７０が形成してある位置に対応させれば、充填材３０が前記下向荷重を受けたときに発生引張応力が発生し難くなるため、当該位置における充填材３０の破壊を効率よく防止することができる。
【００４１】
上述した側方リブ２４の形成範囲は、前記高さ方向における上方補強部材４１および下方補強部材４２の間とすればよい。
【００４２】
本構成では、側方リブ２４の上端面２４ａと上方補強部材４１とで固化した充填材３０を挟持することができる。同様に、側方リブ２４の下端面２４ｂと下方補強部材４２とで固化した充填材３０を挟持することができる。これにより、有孔ブロック２０、充填材３０、上方補強部材４１および下方補強部材４２の結合の程度をより強固にすることができる。よって、有孔ブロック２０及び充填材３０が互いに位置ズレするのを確実に防止できる。
【００４３】
（集水装置の施工方法）
本発明の集水装置Ｘは、図８に示したように、有孔ブロック接続工程Ｐ１と、有孔ブロック設置工程Ｐ２と、補強部材配設工程Ｐ３と、充填工程Ｐ４と、を有する。
【００４４】
有孔ブロック接続工程Ｐ１は、空の内部空間に被処理水を処理した処理水を集水し、上方及び下方からの荷重を隣接する充填材３０に伝達する側方リブ２４を側壁２１ｂに備えた有孔ブロック２０の複数を長手方向に一列に接続する。
有孔ブロック設置工程Ｐ２は、上述した接続工程Ｐ１により一列に接続された有孔ブロックの列を設置する。
補強部材配設工程Ｐ３は、有孔ブロック設置工程Ｐ２により設置された有孔ブロックの列に隣接して、有孔ブロック２０の高さ方向における中間位置より上方に上方補強部材４１、および、中間位置より下方に下方補強部材４２を配設する。
本実施形態では、上述の有孔ブロック設置工程Ｐ２と補強部材配設工程Ｐ３とが交互に繰り返されて、並列に配設した各有孔ブロック２０の間に、上方補強部材４１、および、下方補強部材４２を配設した状態となる。
充填工程Ｐ４は、並列に配設した各有孔ブロック２０の間に充填材３０を充填する。
【００４５】
本施工方法では、有孔ブロック２０の側壁２１ｂに上方及び下方からの荷重を充填材３０に伝達する側方リブ２４を備えるため、側方リブ２４によって固化した充填材３０に対する有孔ブロック２０の相対位置を固定することができ、有孔ブロック２０及び充填材３０が垂直方向に互いに位置ズレするのを防止できる集水装置Ｘを形成することができる。
さらに、本施工方法では、有孔ブロック２０の高さ方向における中間位置より上方に上方補強部材４１、および、中間位置より下方に下方補強部材４２を配設した状態で充填材３０を充填するため、有孔ブロック２０に上向荷重あるいは下向荷重が作用した場合であっても、固化した充填材３０の上側領域あるいは下側領域に引張応力が発生し難くなり、固化した充填材３０における上側領域あるいは下側領域が破壊されるのを未然に防止できる集水装置Ｘを形成することができる。
【００４６】
（逆洗処理）
水処理設備Ｙで被処理水を濾過するに従い、経時的に処理層１１が被除去物によって目詰まりする。当該目詰まりが発生すれば処理層の濾過性能は低下する。そのため、定期的に逆洗処理を行って処理層に詰まった被除去物を除去している。当該逆洗処理を行うことで、処理層の濾過性能を復活させることができる。
【００４７】
本実施形態の逆洗処理は、有孔ブロック２０の下方に設けたフリューム７０や中央流通部Ａに接続された配管等を介して、中央流通部Ａ内に気体あるいは液体等の逆洗用媒体を流通させる。具体的には、当該逆洗用媒体を、中央流通部Ａから、傾斜内壁２２の内壁孔部ｂ１〜ｂ３、上壁２１ａの上壁孔部ａ１、および多孔プレート６０を介して除去手段の処理層１１に噴出させる。この噴出された逆洗用媒体によって、処理層１１に詰まった異物（被除去物）を取り除くことができる。
尚、本実施形態では、集水処理時には処理水を配管によって所定の貯水槽に搬送しているが、逆洗処理時には、処理水を所定の貯水槽に搬送する方向とは逆方向に逆洗用媒体を当該配管によって流通させる。
【００４８】
〔別実施の形態〕
上述した実施形態では、側方リブ２４は、上端面２４ａおよび下端面２４ｂは、略水平な面となるように構成する場合について説明したが、側方リブ２４には、側壁２１ｂに略平行に対面する対向面２５ａを形成した鉤部２５を設けてもよい（図６）。
鉤部２５は、上端面２４ａおよび下端面２４ｂの何れの面に形成してもよい。
【００４９】
補強部材４０の形状は上述の形状に限られるものではない。例えば、図７に示すように、下方補強部材４２を湾曲させることなく、上方補強部材４１と平行に設けるなど、上述以外の形状であってもよい。
【００５０】
本構成であれば、側方リブ２４によって有孔ブロック２０が受けた上向荷重および下向荷重を充填材３０に確実に伝達して、有孔ブロック２０及び充填材３０が垂直方向に互いに位置ズレするのを確実に防止することができると共に、鉤部２５の対向面２５ａによって有孔ブロック２０及び充填材３０が互いに離間する方向に位置ズレするのを確実に防止することができる。
【００５１】
また、上述の実施形態において、除去手段１０と有孔ブロック２０との間に多孔プレート６０を設ける例を示したが、多孔プレート６０に替えて、支持砂利層１１ａを設けてもよい。
【産業上の利用可能性】
【００５２】
本発明は、上水・用水・工業用水・生活廃水・工業廃水等などの被処理水に含まれる懸濁物（被除去物）を除去し、懸濁物が除去された処理水を集水する処理を行う集水装置、集水装置で使用される多孔ブロック、および、集水装置の施工方法に利用できる。
【符号の説明】
【００５３】
Ｘ            集水装置
１０          除去手段
１１          処理層
１２          粒状媒体
２０          有孔ブロック
２１ａ        上壁
２１ｂ        側壁
２１ｃ        底壁
２４          側方リブ
２４Ａ        水平側方リブ
２４Ｂ        垂直側方リブ
２５          鉤部
２５ａ        対向面
３０          充填材
４１          上方補強部材
４２          下方補強部材
Ｐ１          有孔ブロック設置工程
Ｐ２          補強部材配設工程
Ｐ３          充填工程
Ｐ４          積層工程
【図１】
0005520394.tif 000002
【図２】
0005520394.tif 000003
【図３】
0005520394.tif 000004
【図４】
0005520394.tif 000005
【図５】
0005520394.tif 000006
【図６】
0005520394.tif 000007
【図７】
0005520394.tif 000008
【図８】
0005520394.tif 000009
【図９】
0005520394.tif 000010
【図１０】
0005520394.tif 000011